(57)【要約】      （修正有）【課題】必要な電源を有効に提供し、且つ駆動用及び制御用電気回路の設計を簡素化した外接式記憶装置を提供する。【解決手段】外接式記憶装置は、複数のハードディスク、一つのブリッジ制御ユニット、一つのブリッジ・ユニット、一つの接続ポートと一つの電圧変換回路を含む。ブリッジ制御ユニットは複数のハードディスクを電気的に接続し、幾つかのディスク・アレーし、且つＵＳＢ信号をＳＡＴＡ信号に変換する。接続ポートは複数のハードディスクを電気的に接続し、電圧変換回路は制御ユニットを電気的に接続し、ブリッジ・ユニットをブリッジする。外接式記憶装置は一つの伝送線を介して電子装置の提供する一つの電源を受け入れ、電源は接続ポートを経由してハードディスクに直接に伝送され、ハードディスクを駆動する。電圧変換回路が電源を変換し、制御ユニットとブリッジ・ユニットへ給電することにより、他の電源装置と変圧器を外接する必要がない。【選択図】図１
0003187629.tif 000002
【実用新案登録請求の範囲】
【請求項１】
外接式記憶装置は、複数個のハードディスク，一つのブリッジ制御ユニット，一つの接続ポートと一つの電圧変換回路を含んでなり、
ブリッジ制御ユニットがこれらのハードディスクを電気的に接続し、これらのハードディスクを幾つかのディスク・アレーとなるように整合するために用いられ、接続ポートがこれらのハードディスクを電気的に接続し、更に電圧変換回路が該制御ユニット，該ブリッジ・ユニットと該接続ポートを電気的に接続し、その中でも、該外接式記憶装置が一つの伝送線を介して電子装置の提供する一つの電源を受け入れ、且つ該電源が該接続ポートを経由してこれらのハードディスクへ直接に伝送することにより、これらのハードディスクを駆動し、該電圧変換回路が該電源を変換し、且つ該ブリッジ制御ユニットへ給電することを特徴とする、
外接式記憶装置。
【請求項２】
該伝送線がＹ型の伝送線で、一つの第１の接続インターフェースと一つの第２の接続インターフェースを有し、該第１の接続インターフェースが該接続ポートを接続し、該接続ポートがユニバーサル・シリアル・バス３．０又はユニバーサル・シリアル・バス２．０に合致し、該第２の接続インターフェースが該電子装置の出力接続ポートを接続し、該第２の接続インターフェースがユニバーサル・シリアル・バス３．０又はユニバーサル・シリアル・バス２．０に合致することを特徴とする、請求項１に記載の外接式記憶装置。
【請求項３】
該電圧変換回路は、該電源を一つの第１の電圧となるように変換し、該電圧変換回路が該第１の電圧を該ブリッジ制御ユニットへ提供することを特徴とする、請求項１に記載の外接式記憶装置。
【請求項４】
該電圧変換回路は、パルス変調器または低ドロップアウト電圧レギュレータであることを特徴とする、請求項３に記載の外接式記憶装置。
【請求項５】
該電圧変換回路は、該電源を該第１の電圧と第２の電圧となるように変換し、該電圧変換回路が該第１の電圧と該第２の電圧を該ブリッジ制御ユニットへ提供することを特徴とする、請求項３に記載の外接式記憶装置。
【請求項６】
該電圧変換回路は、一つの第１の変換素子と一つの第２の変換素子を有し、該第１の変換素子が該第２の変換素子をカップリングし、該第１の変換素子がパルス変調器または低ドロップアウト電圧レギュレータで、且つ該第２の変換素子がパルス変調器または低ドロップアウト電圧レギュレータであることを特徴とする、請求項５に記載の外接式記憶装置。
【請求項７】
該電圧変換回路は、一つの第３の変換素子を有し、該第３の変換素子がデュアル出力ポートのパルス変調器であることを特徴とする、請求項５に記載の外接式記憶装置。
【請求項８】
該伝送線がＹ型の伝送線で、一つの第１の接続インターフェース，一つの第２の接続インターフェースと一つの第３の接続インターフェースを有し、該第１の接続インターフェースが該接続ポートを接続し、該接続ポートがユニバーサル・シリアル・バス３．０又はユニバーサル・シリアル・バス２．０で、該第２の接続インターフェースと該第３の接続インターフェースが該電子装置の出力接続ポートを接続し、該第２の接続インターフェースがユニバーサル・シリアル・バス３．０又はユニバーサル・シリアル・バス２．０で、該第３の接続インターフェースがユニバーサル・シリアル・バス３．０又はユニバーサル・シリアル・バス２．０であることを特徴とする、請求項１に記載の外接式記憶装置。
【請求項９】
該ブリッジ制御ユニットが、ＵＳＢ信号をＳＡＴＡ信号となるように変換するために用いられ、且つ該ブリッジ制御ユニットがディスク・アレー・コントローラーを一つ有し、これらのハードディスクをこれらのディスク・アレーとなるように整合するために用いられ、且つ該ディスク・アレー・コントローラーがこれらのディスク・アレーを、異なる格納モードとなるように区別することにより、有効な伝送効果およびデータ・バックアップ支援機能を達成し、そして該各ハードディスクが２．５インチのハードディスク（ＨＤＤ）又は固体ディスク（ＳＳＤ）であることを特徴とする、請求項１に記載の外接式記憶装置。
【請求項１０】
一つの通信ユニットを更に含み、該通信ユニットが該ブリッジ制御ユニットを電気的に接続し、該通信ユニットが無線で一つのデータ信号を受信及び／又は伝送するために用いられることを特徴とする、請求項１に記載の外接式記憶装置。
【考案の詳細な説明】
【技術分野】
【０００１】
本考案は、外接式記憶装置に関するもので、特に複数個のハードディスクを有する外接式記憶装置に関するものである。
【背景技術】
【０００２】
近年、科学技術の進歩につれてコンピューター・マルチメディアが盛んに発展しており、格納データ容量に対する需要が日増しに増えることにより、外接式記憶装置の需要も人気の傾向がある。そして外接式記憶装置、例えば５００Ｇ又は１Ｔの携帯型ハードディスクは、この外接式記憶装置により比較的多くのマルチメディア・データを格納できる。
【０００３】
この他にも、ノートパソコン及びデスクトッブパソコンの普及のため、元に配置するハードディスク容量が比較的小さくなり、或いは携帯するデータに問題があるが、従って２．５インチの外接式記憶装置の使用が日増しに頻繁する以外に、更に２．５インチの外接式記憶装置の体積が小さくなることにより、ユーザーも２．５インチの外接式記憶装置を使用する機会が益々増える。
【０００４】
然しながら、一般的な外接式記憶装置は、常に変圧器を有し、そして一般的な外接式記憶装置が伝送線を介して電子装置を接続した後に、電子装置が電源を一般的な外接式記憶装置へ伝送するが、電子装置の提供する電流が不足するので、これにより一般的な外接式記憶装置の動作を駆動できない。
従って設計者は常に一般的な外接式記憶装置の中に前述の電源を阻断でき、且つ変圧器を主要な電源のサプライと看做すことにより、５ボルト／２アンペアの電源または１２ボルト／２アンペアの電源を提供する。
その他にも、制御用チップには必要な電源を提供する必要があるが、電源は、依然として電圧降圧回路を介して電圧を低下する必要があり、これにより、一般的な外接式記憶装置の駆動回路の設計が非常に複雑で且つ比較的多い電気エネルギーを消費する。このため、自然に電気エネルギーの損耗を招く。
【考案の概要】
【考案が解決しようとする課題】
【０００５】
故に、どのように外接式記憶装置の需要する電源を、有効に提供し且つ電気回路の設計を簡素化するかが、目前に検討する必要がある課題である。
【課題を解決するための手段】
【０００６】
本考案は、外接式記憶装置を提供することにより、前述の問題を解決する。
【０００７】
本考案は、外接式記憶装置を提供し、複数個のハードディスク，一つの制御ユニット，一つのブリッジ・ユニット，一つの接続ポートと一つの電圧変換回路を含んでなる。制御ユニットがこれらのハードディスクを電気的に接続し、これらのハードディスクを幾つかのディスク・アレーとなるように整合するために用いられ、そしてブリッジ・ユニットが制御ユニットを電気的に接続し、ユニバーサル・シリアル・バス（ＵＳＢ）信号を（ＳＡＴＡ）信号となるように変換する。接続ポートがこれらのハードディスクを電気的に接続する。電圧変換回路が制御ユニットとブリッジ・ユニットを電気的に接続する。その中でも、外接式記憶装置が一つの伝送線を介して電子装置の提供する一つの電源を受け入れ、且つ電源が接続ポートを経由してこれらのハードディスクへ直接に伝送することにより、これらのハードディスクを駆動し、電圧変換回路が比較的低い電圧となるように変換し、且つ制御ユニットとブリッジ・ユニットへ必要な電源を提供する。
【０００８】
本考案の或る実施例の中において、前述の伝送線が一つの第１の接続インターフェースと一つの第２の接続インターフェースを有し、第１の接続インターフェースが接続ポートを接続し、第２の接続インターフェースが電子装置の出力接続ポートを接続し、接続ポートがユニバーサル・シリアル・バス３．０又は２．０規格に合致するコネクターで、第２の接続インターフェースがユニバーサル・シリアル・バス３．０規格に合致するコネクターである。
【０００９】
本考案の或る実施例の中において、前述の電圧変換回路は、電源を、一つの第１の電圧となるように変換し、電圧変換回路が第１の電圧をブリッジ・ユニットへ提供する。
【００１０】
本考案の或る実施例の中において、前述の電圧変換回路は、パルス変調器または低ドロップアウト電圧レギュレータである。
【００１１】
本考案の或る実施例の中において、前述の電圧変換回路は、電源を、一つの第１の電圧と一つの第２の電圧となるように変換し、電圧変換回路が第１の電圧と第２の電圧をブリッジ制御ユニットへ提供する。
【００１２】
本考案の或る実施例の中において、前述の電圧変換回路は、一つの第１の変換素子と一つの第２の変換素子を有し、第１の変換素子が第２の変換素子をカップリングし、第１の変換素子がパルス変調器または低ドロップアウト電圧レギュレータで、且つ第２の変換素子がパルス変調器または低ドロップアウト電圧レギュレータである。
【００１３】
本考案の或る実施例の中において、前述の電圧変換回路は、一つの第３の変換素子を有し、第３の変換素子がデュアル出力ポートのパルス変調器である。
【００１４】
本考案の或る実施例の中において、前述の伝送線がＹ型の伝送線で、一つの第１の接続インターフェース，一つの第２の接続インターフェースと一つの第３の接続インターフェースを有し、第１の接続インターフェースが接続ポートを接続し、接続ポートがユニバーサル・シリアル・バス３．０又はユニバーサル・シリアル・バス２．０で、第２の接続インターフェースと第３の接続インターフェースが電子装置の出力接続ポートを接続し、第２の接続インターフェースがユニバーサル・シリアル・バス３．０又はユニバーサル・シリアル・バス２．０で、第３の接続インターフェースがユニバーサル・シリアル・バス３．０又はユニバーサル・シリアル・バス２．０である。
【００１５】
本考案の或る実施例の中において、前述のブリッジ制御ユニットが、ＵＳＢ信号をＳＡＴＡ信号となるように変換するために用いられ、且つブリッジ制御ユニットがディスク・アレー・コントローラーを一つ有し、これらのハードディスクをこれらのディスク・アレーとなるように整合するために用いられる。
且つディスク・アレー・コントローラーがディスク・アレーを、異なる格納モードとなるように区別することにより、有効な伝送効果およびデータ・バックアップ支援機能を達成し、そして各ハードディスクが２．５インチのハードディスク（ＨＤＤ）又は固体ディスク（ＳＳＤ）である。
【００１６】
本考案の或る実施例の中において、前述の外接式記憶装置は、一つの通信ユニットを更に含み、通信ユニットがブリッジ制御ユニットを電気的に接続し、通信ユニットが無線で一つのデータ信号を受信及び／又は伝送するために用いられる。
【００１７】
以上の概説および次に述べる実施例は、何れも本考案の技術手段および達成効果を更に説明するために用いられるが、然しながら叙述した実施例と図面のみが参考・説明用に提供され、且つ本考案をより制限するために用いられるものではない。
【考案の効果】
【００１８】
本考案の具体的な手段は、電子装置を利用して伝送された電源を、これらのハードディスクへ直接に供給し、且つ電圧変換回路を介してブリッジ制御ユニットの需要に合致する電圧となるように変換し、このブリッジ制御ユニットにより、ハードディスクを制御してデータのアクセスを行う。
前述の機制に基づき、外接式記憶装置の駆動回路の設計を簡素化してもよく、且つ電気エネルギーの利用性および電気エネルギー節約の効果・機能を向上できる。
【図面の簡単な説明】
【００１９】
【図１】本考案の或る実施例の外接式記憶装置の機能のブロック模式図である。
【図２】本考案の他の実施例の外接式記憶装置の機能のブロック模式図である。
【図３】本考案の他の実施例の外接式記憶装置の機能のブロック模式図である。
【図４】本考案の他の実施例の外接式記憶装置の機能のブロック模式図である。
【考案を実施するための形態】
【００２０】
〔第１の実施例〕
図１が本考案の或る実施例の外接式記憶装置の機能のブロック模式図である。図１を参照する。外接式記憶装置１は、複数個のハードディスク１０，一つのブリッジ制御ユニット１２，一つの接続ポート１６，一つの電圧変換回路１８と一つの伝送線２０を含んでなる。
実務上は、外接式記憶装置１が伝送線２０を介して電子装置９を接続し、電子装置９、例えばコンピューター，ノートパソコン又はタブレットＰＣ（パソコン）等が、この電子装置９により、外接式記憶装置１に対し、データのアクセス及びデータのバックアップの動作を行なってもよい。
【００２１】
伝送線２０が例えば単心ケーブル（ｓｉｎｇｌｅ  ｃａｂｌｅ）の伝送線で、第１の接続インターフェース２０２と第２の接続インターフェース２０４を有し、第１の接続インターフェース２０２が接続ポート１６を接続し、第２の接続インターフェース２０４が電子装置９の出力接続ポート１６を接続し、第２の接続インターフェース２０４がユニバーサル・シリアル・バス３．０又はユニバーサル・シリアル・バス２．０である。
本実施例は単心ケーブル（ｓｉｎｇｌｅ  ｃａｂｌｅ）の伝送線の態様に制限されないが、他の実施例の中には、伝送線２０がＹ型の伝送線であってもよく、所属する技術分野において通常の知識を有する者が実際の使用状況に根拠して設計を行なってもよい。
【００２２】
詳しく言えば、ユニバーサル・シリアル・バス３．０の規格が９００ミリアンペアの電流を提供でき、そしてユニバーサル・シリアル・バス２．０の規格が５００ミリアンペアの電流を提供できる。従って伝送線２０が例えばＹ型の伝送線である時に、伝送線２０がユニバーサル・シリアル・バス３．０と２．０の規格を介して１４００ミリアンペア以上の電流を提供し、或いは伝送線２０が例えば単心ケーブル（ｓｉｎｇｌｅ  ｃａｂｌｅ）の伝送線である時に、伝送線２０がユニバーサル・シリアル・バス３．０の規格を介して９００ミリアンペア以上の電流を提供し、或いは伝送線２０がユニバーサル・シリアル・バス２．０の規格を介して５００ミリアンペア以上の電流を提供する。
これにより、本考案の外接式記憶装置１の動作を駆動する。本実施例は外接式記憶装置１の駆動および動作の電流の大きさを制限しない。
【００２３】
本考案の外接式記憶装置１が複雑な変圧器の回路設計を有しないが、これにより、電気エネルギーの損耗を低減し、且つ本考案が電子装置９の提供する電源に基づいて簡素化する駆動回路を設計し、これにより、外接式記憶装置１のデータ・アクセスの動作を達成する。
【００２４】
本実施例中における複数個のハードディスク１０は、例えば２．５インチのハードディスク（ＨＤＤ）又は固体ディスク（ＳＳＤ）で、本実施例のハードディスク１０の数量は２個であるが、本実施例はハードディスク１０の数量を制限しない。
実務上は、ハードディスク（ＨＤＤ）がＳＡＴＡI（１．５Ｇｂ／ｓ）やＳＡＴＡII（３．０Ｇｂ／ｓ）又はＳＡＴＡIII（６．０Ｇｂ／ｓ）以上の規格に合致するハードディスクであってもよい。そして固体ディスク（ＳＳＤ）もＳＡＴＡIII（６．０Ｇｂ／ｓ）以上の規格に合致できるハードディスクで、そしてハードディスク（ＨＤＤ）又は固体ディスク（ＳＳＤ）等のＳＡＴＡの規格に合致するハードディスクも、実体記憶ブロックを有し、データを格納するために用いられ、このハードディスク１０により、データのアクセス及びデータのバックアップを行なってもよい。
【００２５】
ブリッジ制御ユニット１２がこれらのハードディスク１０と電圧変換回路１８との間に電気的に接続され、これらのハードディスク１０を幾つかのディスク・アレーとなるように組み合わせるために用いられる。
ブリッジ制御ユニット１２は例えばＦＵＪＩＴＳＵ  ＭＢ８６Ｅ５０１チップであるが、本実施例がブリッジ制御ユニット１２の態様を制限しない。例えば本実施例は、ブリッジ制御ユニット１２が多種な機能ブロックを有し、ブリッジ制御ユニット１２がブリッジ・ブロック（未図示）と制御ブロック（未図示）を有することを、例として説明を行うが、本実施例によりブリッジ制御ユニット１２の多種な機能ブロックの態様は制限されなく、所属する技術分野において通常の知識を有する者が実際な使用状況に根拠して設計を行なってもよい。
【００２６】
本実施例の中において、ブリッジ制御ユニット１２がＵＳＢ信号をＳＡＴＡ信号となるように変換することにより、これらのハードディスク１０を制御できるが、この制御ユニット１２により、ハードディスク１０を制御してデータのアクセス及びデータのバックアップ作業を行なってもよい。
【００２７】
その他にも、ブリッジ制御ユニット１２が、独立ディスク冗長アレイ（Ｒｅｄｕｎｄａｎｔ  Ａｒｒａｙ  ｏｆ  Ｉｎｄｅｐｅｎｄｅｎｔ  Ｄｉｓｋｓ，  ＲＡＩＤ）技術を利用して共に複数個の小容量ハードディスクを一体的に整合し、延伸性を有する論理ドライブ（ｌｏｇｉｃａｌ  ｄｒｉｖｅ）となり、論理ドライブを幾つかのディスク・アレーとなるように区別できる。
ブリッジ制御ユニット１２がデータの格納を行なう時に、一つのデータを、複数個のデータ・ブロック（ｄａｔａ  ｂｌｏｃｋ）となるように分割し、それぞれ各ハードディスク１０の中に格納するが、アクセスの動作を同時に行なってもよいので、ＲＡＩＤ技術がより好ましいデータ・アクセス効率を提供できる。
その他にも、或るハードディスクの破損により招かれたデータの紛失を避けるために、ＲＡＩＤ技術が、同一のビット検査の考え方を更に利用して必要時にデータの復元作業に協力する。
【００２８】
更にブリッジ制御ユニット１２は３．３ボルト又は１．２ボルトの電圧レギュレータ（Ｖｏｌｔａｇｅ  Ｒｅｇｕｌａｔｏｒ）を整合できる。例えばブリッジ制御ユニット１２のブリッジ・ブロック（未図示）が１．２ボルトの電圧レギュレータを整合でき、従って電圧変換回路１８は、１．２ボルトの電圧をブリッジ制御ユニット１２へ提供する必要がなく、そして電圧変換回路１８が３．３ボルトの電圧をブリッジ・ブロック（未図示）へ提供できる。
これにより、電圧変換回路１８が、１．２ボルトの電圧を提供する電気回路の設計を簡略化でき、電圧変換回路１８の電気回路設計の複雑度を低減する。
【００２９】
接続ポート１６がこれらのハードディスク１０と伝送線２０との間に電気的に接続され、電子装置９の電源のインターフェースを受け入れるために用いられ、且つ電源をこれらのハードディスク１０へ直接に供給する。
実務上は、接続ポート１６が例えばユニバーサル・シリアル・バス３．０又はユニバーサル・シリアル・バス２．０に合致し、この電子装置９により、接続ポート１６を経由してＵＳＢ信号をブリッジ制御ユニット１２へ提供し、且つ電子装置９が接続ポート１６を経由して電源をこれらのハードディスク１０へ提供する。
【００３０】
電圧変換回路１８が、制御ユニット１２と接続ポート１６を電気的に接続する。電圧変換回路１８が、１セット又は２セットの電圧をブリッジ制御ユニット１２へ提供でき、例えばブリッジ制御ユニット１２の内には、３．３ボルトの電圧を１．２ボルトの電圧となるように変換する電気回路の設計を有する。
従ってブリッジ制御ユニット１２が、１セットの電圧変換回路１８の提供する電圧を受け入れても良く、そして電圧変換回路１８が、例えばパルス変調器と低ドロップアウト電圧レギュレータを介して実現される。
【００３１】
他の実施例の中において、電圧変換回路１８も、２セットの電圧をブリッジ制御ユニット１２へ提供できる。例えばブリッジ制御ユニット１２が３．３と１．２ボルトなどの２種類の電圧需要を有し、そして電圧変換回路１８が例えばパルス変調器と低ドロップアウト電圧レギュレータの任意の組合せ又はデュアル出力ポートのパルス変調器を介して実現される。
例えばブリッジ制御ユニット１２の制御ブロック（未図示）の電圧需要が３．３ボルトで、そしてブリッジ・ブロック（未図示）の電圧需要が３．３と１．２ボルトで、この電圧変換回路１８により、３．３ボルトの電圧を制御ブロック（未図示）とブリッジ・ブロック（未図示）へ提供し、且つ１．２ボルトの電圧をブリッジ・ブロック（未図示）へ提供する。しかし本実施例は、電圧変換回路１８がブリッジ制御ユニット１２へ給電する態様を制限しない。
【００３２】
例を挙げれば、外接式記憶装置１が伝送線２０を介して電子装置９を接続する時に、電子装置９が外接式記憶装置１の態様を検出し、これにより外接式記憶装置１を識別するのは、ユニバーサル・シリアル・バス３．０を通信プロトコルと看做し、且つブリッジ制御ユニット１２は、ＳＡＴＡ信号を変換して出力する必要があり、従ってブリッジ制御ユニット１２は、比較的多い電源を占有する可能性がある。これにより、２セットの電圧需要を、ブリッジ制御ユニット１２へ提供することにより、外接式記憶装置１の正常な動作をメンテナンスする。
【００３３】
上記より、本考案の外接式記憶装置１は、伝送線２０を介して電子装置９の電源を受け入れ、且つ電源をこれらのハードディスク１０へ直接に伝送し、更に電源が接続ポート１６を経由してこれらのハードディスク１０へ直接に供給することにより、これらのハードディスク１０を駆動する。
その他にも、本考案は、電圧変換回路１８を介し、制御ユニット１２とブリッジ・ユニット１４とに合致する電圧需要となるように変換するが、このブリッジ制御ユニット１２にてＳＡＴＡ信号を提供してハードディスク１０を制御することにより、データのアクセス及びデータのバックアップを行なう。
前述の機制により、外接式記憶装置１の駆動回路の設計を簡素化してもよく、電気エネルギーの利用性および電気エネルギー節約の効果・機能を向上できる。
【００３４】
〔第２の実施例〕
図２は本考案の他の実施例の外接式記憶装置の機能のブロック模式図である。図２を参照する。図２中の外接式記憶装置１ａと図１中の外接式記憶装置１両者の構造が類似し、そして以下に両者の含む同じ素子が、同じ符号により表示される。
外接式記憶装置１ａ，１両者の差異は、電圧変換回路１８ａが一つの第１の変換素子１８２と一つの第２の変換素子１８４を有し、第１の変換素子１８２がブリッジ制御ユニット１２ａ、第２の変換素子１８４と接続ポート１６を電気的に接続することにある。第２の変換素子１８４がブリッジ制御ユニット１２ａを電気的に接続する。
【００３５】
実務上、第１の変換素子１８２がパルス変調器または低ドロップアウト電圧レギュレータで、そして第２の変換素子１８４がパルス変調器または低ドロップアウト電圧レギュレータであるが、この第１と第２の変換素子１８２，１８４の組合せは４種類の方式を有することにより、何れもブリッジ制御ユニット１２ａの電圧需要を達成するように提供できる。
本実施例ではその中の一例のみを挙げて説明する。残りの方式および動作は何れも本実施例と同じで、所属する技術分野における通常の知識を有する者が、パルス変調器と低ドロップアウト電圧レギュレータとの間に、第１と第２の変換素子１８２，１８４を簡単に変換して適用できる。本実施例はブリッジ制御ユニット１２ａの態様を制限しない。
【００３６】
その他にも、電圧変換回路１８ａは、電源を、一つの第１の電圧Ｖ１及び一つの第２の電圧Ｖ２となるように変更するが、電圧変換回路１８ａが第１の電圧Ｖ１と第２の電圧Ｖ２を、ブリッジ制御ユニット１２ａへ提供する。
本実施例が、第１の電圧Ｖ１と第２の電圧Ｖ２の数値を制限しないが、所属する技術分野における通常の知識を有する者が、需要に合わせて自由に設計できる。
【００３７】
例を挙げると、第１の変換素子１８２がパルス変調器で、そして第２の変換素子１８４が低ドロップアウト電圧レギュレータであるが、パルス変調器が、それぞれ一つの入力ポートと一つの出力ポートを有し、低ドロップアウト電圧レギュレータも一つの入力ポートと一つの出力ポートを有し、そしてパルス変調器が、低ドロップアウト電圧レギュレータを電気的に接続し、且つパルス変調器と低ドロップアウト電圧レギュレータが制御ユニット１２ａを電気的に接続する。
【００３８】
詳しく言えば、第１の変換素子１８２が第１の電圧Ｖ１を出力でき、第１の電圧Ｖ１を、ブリッジ制御ユニット１２ａと第２の変換素子１８４へ供給する。第２の変換素子１８４が、第１の電圧Ｖ１を受け入れ且つ第２の電圧Ｖ２を変換して出力し、更にブリッジ制御ユニット１２ａへ供給する。
【００３９】
例を挙げると、接続ポート１６が電子装置９の伝送する５ボルトの電圧を受け入れるが、当然に５ボルトの電圧をこれらのハードディスク１０へ直接に供給できることにより、これらのハードディスク１０が動作し、更に第１の変換素子１８２により電源を受け入れ且つ３．３ボルトの第１の電圧Ｖ１となるように変換する。
そして第１の電圧Ｖ１を、制御ユニット１２ａと第２の変換素子１８４へ供給するが、その中でも、第２の変換素子１８４により、１．２ボルトに変換する第２の電圧Ｖ２を取り扱いし、間もなく第２の電圧Ｖ２をブリッジ制御ユニット１２ａへ供給する。
【００４０】
注目に値する点は、ブリッジ制御ユニット１２ａがディスク・アレー・コントローラー１２２を有し、ＳＡＴＡ信号を各ハードディスク１０へ伝送するために用いられる。これにより、これらのハードディスク１０を幾つかのディスク・アレーとなるように組み合わせる点である。
実務上は、ディスク・アレー（Ｒｅｄｕｎｄａｎｔ  Ａｒｒａｙ  ｏｆ  Ｉｎｅｘｐｅｎｓｉｖｅ  Ｄｉｓｋ，  ＲＡＩＤ）が、既に複数種の異なる格納モード、例えばＲＡＩＤ０，ＲＡＩＤ１，ＲＡＩＤ＋１，ＲＡＩＤ２，ＲＡＩＤ３，ＲＡＩＤ４，ＲＡＩＤ５，ＲＡＩＤ６，ＲＡＩＤ７，ＲＡＩＤ１０，ＲＡＩＤ３０とＲＡＩＤ５０などの異なる応用方面のディスク・アレー（ＲＡＩＤ）を、有するが、この電子装置９により、これらのハードディスク１０を、一つの単独のハードディスク又は一つの単独の論理格納ハードディスクと看做す。
当然にディスク・アレー・コントローラー１２２も、データを強化する整合度、間違いの許容を強化する機能および取扱量や容量を増加する効用を、有するが、これにより、これらのハードディスクを幾つかのディスク・アレーとなるように整合し、且つこれらのディスク・アレーを、異なる格納モードとなるように区別できることにより、より有効な伝送効果およびデータ・バックアップ支援機能を達成し、ひいてはこれらのハードディスク１０のデータの安全性を保護する。
【００４１】
前述の差異以外は、所属する技術分野における通常の知識を有する者が知る通り、第２の実施例の操作部分が実質的に第１の実施例と等価なので、所属する技術分野における通常の知識を有する者が、第１の実施例および前述の差異を参照した後に、簡易に推測できるので、ここでは余計に陳述しない。
【００４２】
〔第３の実施例〕
図３が本考案の他の実施例の外接式記憶装置の機能のブロック模式図である。図３を参照する。本実施例の外接式記憶装置１ｂと前述の第１の実施例の外接式記憶装置１が類似し、例えば外接式記憶装置１ｂも、電子装置９の電源を受け入れてもよく、且つ各ハードディスク１０へ直接に供給してもよい。
然しながら、外接式記憶装置１ｂ，１の間に依然として差異が存在する。これは、電圧変換回路１８ｂが一つの第３の変換素子１８６を含み、その中でも、第３の変換素子１８６が接続ポート１６とブリッジ制御ユニット１２ａを電気的に接続する点である。
【００４３】
詳しく言えば、第３の変換素子１８６がデュアル出力ポートのパルス変調器で、この第３の変換素子１８６により、それぞれ第１の電圧Ｖ３と第２の電圧Ｖ４を出力でき、そして第１の電圧Ｖ３と第２の電圧Ｖ４をそれぞれブリッジ制御ユニット１２ａへ供給する。
【００４４】
例を挙げると、接続ポート１６が電子装置９の伝送する５ボルトの電圧を受け入れるが、当然に５ボルトの電圧をこれらのハードディスク１０へ直接に供給できることにより、これらのハードディスク１０が動作し、更に第３の変換素子１８６により、５ボルトの電圧を受け入れ且つ３．３ボルトの第１の電圧Ｖ３及び１．２ボルトの第２の電圧Ｖ４となるように変換する。
例えば第１の電圧Ｖ３を、ブリッジ制御ユニット１２ａの制御ブロック（未図示）とブリッジ・ブロック（未図示）へ供給し、そして第２の電圧Ｖ４をブリッジ制御ユニット１２ａのブリッジ・ブロック（未図示）へ供給する。
本実施例は第１の電圧Ｖ３と第２の電圧Ｖ４をブリッジ制御ユニット１２ａへ供給する動作の態様を制限しない。
【００４５】
前述の差異以外は、所属する技術分野における通常の知識を有する者が知る通り、第３の実施例の操作部分が実質的に第１の実施例と等価なので、所属する技術分野における通常の知識を有する者が、第１の実施例および前述の差異を参照した後に、簡易に推測できるので、ここでは余計に陳述しない。
【００４６】
〔第４の実施例〕
図４が本考案の他の実施例の外接式記憶装置の機能のブロック模式図である。図４を参照する。本実施例の外接式記憶装置１ｃと前述の第１の実施例の外接式記憶装置１が類似する。例えば外接式記憶装置１ｃも、電子装置９の電源を受け入れ、各ハードディスク１０へ直接に供給してもよい。
然しながら、外接式記憶装置１ｃ，１の間に依然として差異が存在する。これは、外接式記憶装置１ｃが一つの通信ユニット１４を更に含み、通信ユニット１４がブリッジ制御ユニット１２を電気的に接続し、且つ通信ユニット１４が無線で一つのデータ信号を受け入れてブリッジ制御ユニット１２へ供給するために用いられる。
【００４７】
実務上は、通信ユニット１４が、例えばブルートゥース(登録商標)通信トランシーバー，無線ローカルエリアネットワーク（Ｗｉｒｅｌｅｓｓ  ＬＡＮ）通信高周波（Ｒａｄｉｏ  Ｆｒｅｑｕｅｎｃｙ）トランシーバ，無線パーソナルエリアネットワーク（Ｗｉｒｅｌｅｓｓ  ＰＡＮ）通信高周波トランシーバ，無線ワイファイ（Ｗｉ−Ｆｉ(登録商標)）通信高周波トランシーバ，ＩＥＥＥ  ８０２．１１通信高周波トランシーバ又はＺｉｇＢｅｅ(登録商標)（８０２．１５．４）通信高周波トランシーバであり、本実施例は通信ユニット１４の態様を制限しないが、所属する技術分野において通常の知識を有する者が実際の使用状況に根拠して設計を行なってもよい。
【００４８】
例を挙げると、通信ユニット１４が、例えばブルートゥース通信トランシーバーで、そしてユーザーのスマートフォンも、ブルートゥース通信トランシーバーの通信モジュールを有し、ユーザーがスマートフォンを操作でき、無線でスマートフォンの内における個人データを外接式記憶装置１ｃへ伝送でき、或いは無線で外接式記憶装置１ｃの内におけるデータをスマートフォンへアクセスできるが、これにより、データのアクセス及びデータのバックアップ作業を達成する。
【００４９】
同義的に了解できるのは、ユーザーもスマートフォン，タブレットパソコン，ノートパソコン，携帯電話または携帯情報端末（ＰＤＡ）などの無線装置（未図示）を介して外接式記憶装置１ｃの通信ユニット１４との無線通信を行なってもよく、本実施例は無線装置（未図示）の態様を制限しない。
更に本実施例では、一つの無線装置により、無線で外接式記憶装置１ｃを接続してデータのアクセスを行なって説明したが、他の実施例の中において、複数個の無線装置により無線で外接式記憶装置１ｃをも接続でき、且つ複数個の無線装置により同時に外接式記憶装置１ｃに対し、データのアクセス作業を行なってもよい。従って本実施例は無線装置（未図示）の数量を制限しない。
【００５０】
例を挙げると、複数個の無線装置により無線で外接式記憶装置１ｃを接続してデータのアクセス作業を行なう時に、ブリッジ制御ユニット１２がこれらの無線装置のデータ・アクセス・コマンドの前後順番に根拠してハードディスク１０を制御してデータのアクセス作業を行なうが、勿論ブリッジ制御ユニット１２も自身のプログラムの設定に根拠してこれらの無線装置のデータ・アクセスの優先順位を提供でき、本実施例がブリッジ制御ユニット１２の作動方式を制限しない。
その他にも、他の実施例の中において、通信ユニット１４も、単向無線伝送の発射器または単向無線受信のレシーバーであってもよいが、本実施例が通信ユニット１４の作動態様を制限しない。
【００５１】
その他にも、本実施例の外接式記憶装置１ｃが、伝送線２０を介して電子装置９を電気的に接続でき、そして電子装置９も電源を外接式記憶装置１ｃへ提供できる。
勿論ユーザーも、電子装置９を操作できることにより、電子装置９の内における個人データを有線で外接式記憶装置１ｃへ伝送し、或いは外接式記憶装置１ｃの内におけるデータを有線で電子装置９へ伝送するが、これにより、データのアクセス及びデータのバックアップ作業を達成する。本実施例は、外接式記憶装置１ｃと電子装置９のデータ・アクセス作動の態様を制限しない。
【００５２】
これにより了解できるのは、本実施例の外接式記憶装置１ｃが２種類のデータ・アクセス方式を有し、その中の１種類の方式が通信ユニット１４を介して無線の方式にてデータ・アクセス作業を行ない、他種類の方式が伝送線２０を介して有線の方式にてデータ・アクセス作業を行なうが、所属する技術分野において通常の知識を有する者が実際な使用状況に根拠して設計を行なってもよい。
取り上げる価値があるのは、本実施例がブリッジ制御ユニット１２ａにより電源を通信ユニット１４へ供給して説明し、他の実施例の中にも、電圧変換回路１８ａをも利用して電源を通信ユニット１４へ供給できるが、所属する技術分野において通常の知識を有する者が実際の使用状況に根拠して設計を行なってもよい点である。
【００５３】
前述の差異以外は、所属する技術分野における通常の知識を有する者が知る通り、第４の実施例の操作部分が実質的に第１の実施例と等価なので、所属する技術分野における通常の知識を有する者が、第１の実施例および前述の差異を参照した後に、簡易に推測できるので、ここでは余計に陳述しない。
【００５４】
上記を総合し、本考案の精神は、主として伝送線を利用して電子装置と外接式記憶装置との間を電気的に接続し、且つ電子装置の伝送する電源をこれらのハードディスクへ直接に供給し、更に電圧変換回路を介してブリッジ制御ユニットの需要に合致する電圧となるように変換し、このブリッジ制御ユニットにより、ディスクを制御してデータのアクセスを行う。
その他にも、ブリッジ制御ユニットがディスク・アレー・コントローラーを有し、これにより、異なる格納モードをこれらのハードディスクへ提供することにより、有効な伝送効果およびデータ・バックアップ支援機能を達成することにより、ハードディスクのデータの安全性を保護する。
前述の機制により、外接式記憶装置の駆動回路の設計を簡素化してもよく、且つ電気エネルギーの利用性および電気エネルギー節約の効果・機能を向上できる。
【００５５】
より好ましい実施例の詳細な説明中において、提出された具体的な実施例は、本考案の技術内容を便利に説明するために用いられ、本考案を前述の実施例に狭義的に制限するものではない。本考案の精神および以下の請求の範囲を逸脱しない状況で完成された各種の変更・実施は、何れも本考案の範囲に属する。従って本考案の保護範囲は、後で添付された請求の範囲に基づいて限定してもよい。
【符号の説明】
【００５６】
Ｖ１、Ｖ４  第１の電圧  
Ｖ２、Ｖ５  第２の電圧
Ｖ３、Ｖ６  第３の電圧
１、１ａ、１ｂ、１ｃ  外接式記憶装置    
９  電子装置  
１０  ハードディスク  
１２、１２ａ  制御ユニット      
１４  通信ユニット
１６  接続ポート
１８、１８ａ、１８ｂ  電圧変換回路
２０  伝送線
１２２  ディスク・アレー・コントローラー
１８２  第１の変換素子  
１８４  第２の変換素子
１８６  第３の変換素子
２０２  第１の接続インターフェース
２０４  第２の接続インターフェース
【図１】
0003187629.tif 000003
【図２】
0003187629.tif 000004
【図３】
0003187629.tif 000005
【図４】
0003187629.tif 000006